(57)【要約】【課題】シートが高速で搬送される場合においても高精度でシート長を計測できるシート長計測装置、シート振分ライン、シート切断ライン、およびシート長計測方法の提供。【解決手段】前記シートの表面に検査光を照射する投光部と、前記シートの搬送経路を挟んで前記投光部の反対側に配設され、前記投光部からの検査光を受光する受光部と、前記受光部における受光の有無に基づいて前記シートが検査光を遮光した遮光時間を求め、前記遮光時間と前記シートの搬送速度とに基づいて前記シート長を求めるシート長演算手段とを備えるシート長計測装置、シート振分ライン、シート切断ライン、およびシート長計測方法。【選択図】        図３
2006337078.tif 000002
【特許請求の範囲】
【請求項１】
所定の搬送経路に沿って搬送されるシートについて、前記シートの前縁から後縁までの長さであるシート長を測定するシート長計測装置であって、
前記シートの表面に所定の広がり角を有する検査光を照射する投光部と、
前記シートの搬送経路を挟んで前記投光部の反対側に配設され、前記投光部からの検査光を受光する受光部と、
前記受光部における受光の有無に基づいて前記シートが検査光を遮光した遮光時間を求め、前記遮光時間と前記シートの搬送速度とに基づいて前記シート長を求めるシート長演算手段とを備えてなる
ことを特徴とするシート長計測装置。
【請求項２】
前記投光部は、光源からの検査光を導く光ファイバと、前記光ファイバの光軸上に設けられ、前記ファイバから照射される検査光の広がり角を所定の角度にするコリメータ部とを有し、受光部は、前記投光部の光軸上に配設されたコリメータ部と、前記コリメータ部で収束された検査光を受光素子に導く光ファイバとを有する請求項１に記載のシート長計測装置。
【請求項３】
前記投光部から照射される検査光は所定のパルス周期を有するパルス光であり、
前記シート長演算手段は、シートによって遮光された前記パルス光のパルス数と前記パルス光のパルス間隔とから前記遮光時間を求める請求項２に記載のシート長計測装置。
【請求項４】
前記投光部と前記受光部とからなる投受光部を１組備え、
前記シート長演算手段は、所定の計測時間中に前記投光部で発生したパルス数Ｐ１と、前記受光部で実際に受光したパルス数Ｐ２と、パルス前記シートの搬送速度Ｖ（ｍ／ｓ）と、パルス周期ＴPG（ｓ）とから、以下の式：
【数１】
2006337078.tif 000017
によってシート長Ｌを求める
請求項３に記載のシート長計測装置。
【請求項５】
前記投受光部は、前記シートの搬送方向に沿って２個配設され、投光部において同期してパルスを発生するとともに、
前記シート長演算手段は、前記２個の投受光部の距離Ｄと、所定の計測時間中に前記投受光部が備える投光部で発生したパルス数Ｐ１と、シートの搬送方向に沿って下流側に配設された受光部において検出されたパルス数Ｐ２と、前記シートの搬送方向に対して上流側に配設された受光部において検出されたパルス数Ｐ３と、これらの投受光部におけるパルス周期ＴPGと、前記シートの搬送速度Ｖとに基づき、以下の式：
【数２】
2006337078.tif 000018
を用いてシート長Ｌを求める
請求項３に記載のシート長計測装置。
【請求項６】
前記２個の投受光部の距離Ｄは、シート長Ｌに応じて変更可能である請求項５に記載のシート長計測装置。
【請求項７】
前記投受光部は、前記シートの搬送方向に沿って３個以上配設されてなるとともに、
前記シート長演算手段は、前記投受光部のうち２個をシート長Ｌに応じて選択してシート長計測をおこなう請求項５に記載のシート長計測装置。
【請求項８】
前記シートの搬送速度を計測する搬送速度計測手段を備えるとともに、
前記シート長演算手段は、投受光部で受光したパルス光のパルス数と、前記搬送速度測定手段で計測した搬送速度とに基づいてシート長を求める請求項１〜７の何れか１項に記載のシート長計測装置。
【請求項９】
前記投受光部は、シートの搬送方向に沿って１組または２組以上配設されてなり、
前記シート長演算手段は、前記搬送速度測定手段で計測した搬送速度をＶ（ｔ）とし、シート長計測開始時刻をｔ＝０、シート長計測終了時刻をｔ＝Δｔ、搬送速度Ｖ（ｔ）の平均値を平均搬送速度Ｖaveとしたとき、以下の式：
【数３】
2006337078.tif 000019
に基づいて平均搬送速度Ｖaveを求め、得られた平均搬送速度Ｖaveに基づいてシート長を求める請求項８に記載のシート長計測装置。
【請求項１０】
前記搬送速度計測手段は、前記投光部でｋ個目のパルスを発生する毎にシートの搬送速度Ｖ［（ｋ／Ｐ１）・Δｔ］を計測して前記シート長演算手段に入力し、
前記シート長演算手段は、以下の式：
【数４】
2006337078.tif 000020
に基づいてシート長Ｌを求める請求項５に記載のシート長計測装置。
【請求項１１】
前記投受光部を、前記シートの搬送方向に対して直交する方向に沿って複数設け、
前記シート長演算手段においては、これらの投受光部における遮光タイミングの差に基づいて前記シートの搬送方向に対する傾きθを求めてシート長を補正する請求項１〜１０の何れか１項に記載のシート長計測装置。
【請求項１２】
シート長計測装置の所望の分解能をＲ（ｍ）、受光部における受光径をφ（ｍ）、シート搬送速度をＶ（ｍ／ｓ）、投光部におけるパルス周波数をｆ（Ｈｚ）、前記受光径φで決まる分解能をＲa、シート搬送速度Ｖおよびパルス周波数ｆで決まる分解能をＲbとして、
【数５】
2006337078.tif 000021
に基づいて受光径φおよびパルス周波数ｆを設定する請求項３〜１２の何れか１項に記載のシート長計測装置。
【請求項１３】
シートを所定の搬送経路に沿って搬送する搬送手段と、
前記搬送手段で搬送されるシートについてシート長を計測する請求項１〜１２の何れか１項に記載のシート長計測装置と、
前記シート長計測装置における計測知に基づいて前記シートを良品と不良品とに振り分けるシート振分手段とを
備えてなることを特徴とするシート振分ライン。
【請求項１４】
帯状のウェブを巻き戻しつつ所定の寸法に切断してシートとする切断手段と、
前記切断手段で切断されたシートを所定の搬送経路に沿って搬送する搬送手段と、
前記搬送手段で搬送されるシートについてシート長を計測する請求項１〜１２の何れか１項に記載のシート長計測装置とを備えてなり、
前記シート長計測装置におけるシート長計測結果に基づいて前記切断手段における切断長さをフィードバック制御することを特徴とするシート切断ライン。
【請求項１５】
所定の搬送経路に沿って搬送されるシートについて、前記シートの前縁から後縁までの長さであるシート長を測定するシート長計測方法であって、
前記シートの表面に所定の広がり角を有する検査光を照射し、前記シートの搬送速度と、前記シートが検査光を遮光する遮光時間とに基づいて前記シート長を求めることを特徴とするシート長計測方法。
【発明の詳細な説明】
【技術分野】
【０００１】
本発明は、シート長計測装置、シート振分ライン、シート切断ライン、およびシート長計測方法に係り、特に、高速で搬送されるシートの長さを正確に測定できるシート長計測装置、シート長計測方法、および前記シート長計測装置を有するシート振分ラインとシート切断ラインに関する。
【背景技術】
【０００２】
平版印刷版は、加工ラインにおいてスリットおよびカットされた後、集積、包装され、出荷される。
【０００３】
出荷規格の１つの項目にカット長の精度があるが、カッターの性能によりカット長がばらつくという問題があるので、カット長が所定の精度にあることを保証するためにオンライン検査を実施している。
【０００４】
カット長のオンライン検査に使用されるシート長計測装置としては、これまで、受光手段としてＣＣＤカメラを用いたものが一般的であった（特許文献１〜４、非特許文献１）。
【特許文献１】特開２００１−３５０２２２号公報
【特許文献２】特開２００３−２４６４９９号公報
【特許文献３】特開平６−１４７８３６号公報
【特許文献４】特開平８−１２２０４４号公報
【非特許文献１】川崎製鉄技報「熱間圧延に絶えるオンライン寸法・形状測定技術」
【発明の開示】
【発明が解決しようとする課題】
【０００５】
しかしながら、近年、平版印刷版製造ラインのライン速度が高くなったため、受光手段としてＣＣＤカメラを用いた自動シート長計測装置においては、要求精度に見合うようにカメラを同期させることが難しく、数１０μｍの精度でシート長を計測することは難しかった。
【０００６】
本発明は、上記問題を解決すべく成されたものであり、平版印刷版のようなシートが高速で搬送される場合においても高精度でシート長を計測できるシート長計測装置、シート振分ライン、シート切断ライン、およびシート長計測方法を提供することを目的とする。
【課題を解決するための手段】
【０００７】
請求項１に記載の発明は、所定の搬送経路に沿って搬送されるシートについて、前記シートの前縁から後縁までの長さであるシート長を測定するシート長計測装置であって、前記シートの表面に検査光を照射する投光部と、前記シートの搬送経路を挟んで前記投光部の反対側に配設され、前記投光部からの検査光を受光する受光部と、前記受光部における受光の有無に基づいて前記シートが検査光を遮光した遮光時間を求め、前記遮光時間と前記シートの搬送速度とに基づいて前記シート長を求めるシート長演算手段とを備えてなることを特徴とするシート長計測装置に関する。
【０００８】
前記シート長計測装置においては、投光部、受光部、シート長演算手段などのコンポーネントとして、光通信システムやエンコーダに用いられている部品が使用できる。これらの部品は高性能でありながら比較的安価であるから、前記シート長計測装置は、シート長をオンラインで高精度に計測できる上に安価に構成できる。
【０００９】
請求項２に記載の発明は、請求項１に記載のシート長計測装置において、光源からの検査光を導く光ファイバと、前記光ファイバの光軸上に設けられ、前記ファイバから照射される検査光の広がり角を所定の角度にするコリメータ部とを有し、受光部は、前記投光部の光軸上に配設されたコリメータ部と、前記コリメータ部で収束された検査光を受光素子に導く光ファイバとを有するものに関する。
【００１０】
前記シート長計測装置においては、投光部における検査光の投光径および受光部における受光径が５〜５０μｍ程度と従来の例よりも小さくすることができる。ここで、投光径および受光径が小さいほど高精度でシート長を測定できるから、前記シート長計測装置によれば、従来のものよりも遥かに高精度でシート長の計測ができる。
【００１１】
請求項３に記載の発明は、請求項２に記載のシート長計測装置において、前記投光部から照射される検査光が所定のパルス周期を有するパルス光であり、前記シート長演算手段が、シートによって遮光された前記パルス光のパルス数と前記パルス光のパルス間隔とから前記遮光時間を求めるものに関する。
【００１２】
前記シート長計測装置においては、投光部において、高周波のパルス光を発生させ、これを受光部で受光して電気信号に変換し、必要に応じて増幅した後、受光光のパルス数を数えるという方法でシート長を測定する。
【００１３】
したがって、受光部における受光光の受光径を小さくするとともに、投光部におけるパルス光の周波数が大きくなるように設定することにより、シート長を数１０μｍオーダの高精度で計測できる。また、投光部としては、高周波のパルス光を発生させる半導体レーザ素子などの発光素子が使用できるが、このような発光素子は安価に入手できる。
【００１４】
請求項４に記載の発明は、請求項３に記載のシート長計測装置において、前記投光部と前記受光部とからなる投受光部を１組備え、前記シート長演算手段は、所定の計測時間中に前記投光部で発生したパルス数Ｐ１と、前記受光部で実際に受光したパルス数Ｐ２と、パルス前記シートの搬送速度Ｖ（ｍ／ｓ）と、パルス周期ＴPG（ｓ）とから、以下の式：
【００１５】
【数１】
2006337078.tif 000003
【００１６】
によってシート長Ｌを求めるものに関する。
【００１７】
前記シート長計測装置においては、１組の投受光部を用い、シートによって遮光されたパルスの個数（Ｐ１−Ｐ２）に基づいてシート長を求めるから、構成が簡略化できるだけでなく、シート長演算手段における演算手順も簡略化できる。
【００１８】
請求項５に記載の発明は、請求項３に記載のシート長計測装置において、前記投受光部が、前記シートの搬送方向に沿って２個配設され、投光部において同期してパルスを発生するとともに、前記シート長演算手段が、前記２個の投受光部の距離Ｄと、所定の計測時間中に前記投受光部における投光部で発生したパルス数Ｐ１と、シートの搬送方向に沿って下流側に配設された受光部において検出されたパルス数Ｐ２と、前記シートの搬送方向に対して上流側に配設された受光部において検出されたパルス数Ｐ３と、これらの投受光部におけるパルス周期ＴPGと、前記シートの搬送速度Ｖとに基づき、以下の式：
【００１９】
【数２】
2006337078.tif 000004
【００２０】
を用いてシート長Ｌを求めるものに関する。
【００２１】
前記シート長計測装置においては、シートの全長に亘ってパルス光の照射および検出を行なう必要がないから、請求項４に記載のシート長計測装置に比較して計測時間を節約できる。したがって、シート長が長いシートの計測に特に好適である。
【００２２】
請求項６に記載の発明は、請求項５に記載のシート長計測装置において、前記２個の投受光部の距離Ｄがシート長Ｌに応じて変更可能であるものに関する。
【００２３】
請求項７に記載の発明は、請求項５に記載のシート長計測装置において、前記投受光部が、前記シートの搬送方向に沿って３個以上配設されてなるとともに、前記シート長演算手段は、前記投受光部のうち２個をシート長Ｌに応じて選択してシート長計測をおこなうものに関する。
【００２４】
これらのシート長計測装置においては、計測しようとするシートのシート長に応じて投受光部の距離Ｄを設定できるから、シート長演算手段において、投受光部の距離Ｄとシート長Ｌとの大小関係に応じて計算式を使い分ける必要がなく、シート長を求めるロジックが簡略化できるという特長がある。
【００２５】
請求項８に記載の発明は、請求項１〜７の何れか１項に記載のシート長計測装置において、前記シートの搬送速度を計測する搬送速度計測手段を備えるとともに、前記シート長演算手段は、投受光部で受光したパルス数または遮光時間と、前記搬送速度測定手段で計測した搬送速度とに基づいてシート長を求めるものに関する。
【００２６】
本発明のシート長計測装置によってシート長が計測されるシートは、常に一定の速度で搬送されているとは限らない。
【００２７】
しかし、前記シート長計測装置においては、搬送速度計測手段によってシートの実際の搬送速度を計測し、前記シート長演算手段においては、前記搬送速度を用いてシート長の計算結果を補正しているから、上記の場合においても、高精度でシート長を計測できる。
【００２８】
請求項９に記載の発明は、請求項８に記載のシート長計測装置において、前記投受光部は、シートの搬送方向に沿って１組または２組以上配設されてなり、前記シート長演算手段は、前記搬送速度測定手段で計測した搬送速度をＶ（ｔ）とし、シート長計測開始時刻をｔ＝０、シート長計測終了時刻をｔ＝Δｔ、搬送速度Ｖ（ｔ）の平均値を平均搬送速度Ｖaveとしたとき、以下の式：
【００２９】
【数３】
2006337078.tif 000005
【００３０】
に基づいて平均搬送速度Ｖaveを求め、得られた平均搬送速度Ｖaveに基づいてシート長を求めるものに関する。
【００３１】
前記シート長計測装置においては、前記搬送速度測定手段で計測した搬送速度Ｖ（ｔ）を時間平均してシート長を求めているから、搬送速度Ｖ（ｔ）の変動が小さいときや、シート長が短いときに好適である。
【００３２】
請求項１０に記載の発明は、請求項５に記載のシート長計測装置において、前記投光部でｋ個目のパルスを発生する毎に、前記搬送速度計測手段がシートの搬送速度Ｖ［（ｋ／Ｐ１）・Δｔ］を計測して前記シート長演算手段に入力し、前記シート長演算手段は、以下の式：
【００３３】
【数４】
2006337078.tif 000006
【００３４】
に基づいてシート長Ｌを求めるものに関する。
【００３５】
前記シート長計測装置は、請求項５のシート長計測装置において投光部でパルスを発生する毎に、前記搬送速度計測手段がシートの搬送速度を計測し、計測した搬送速度とパルス周期ＴPGの積の総和に基づいてシート長を求めている。したがって、シート長計測中にシートの搬送速度が大きく変動する場合においても、パルス周期ＴPGを短くすることにより、高い精度でのシート長計測が可能である。
【００３６】
請求項１１に記載の発明は、請求項１〜１０の何れか１項に記載のシート長計測装置において、前記投受光部を、前記シートの搬送方向に対して直交する方向に沿って複数設け、前記シート長演算手段においては、これらの投受光部における遮光タイミングの差に基づいて前記シートの搬送方向に対する傾きθを求めてシート長を補正するものに関する。
【００３７】
前記シート長計測装置においては、シートが搬送方向に対して傾いた状態で搬送された場合においても正確にシート長を計測できる。
【００３８】
請求項１２に記載の発明は、請求項３〜１１の何れか１項に記載のシート長計測装置において、シート長計測装置の所望の分解能をＲ（ｍ）、受光部における受光径をφ（ｍ）、シート搬送速度をＶ（ｍ／ｓ）、投光部におけるパルス周波数をｆ（Ｈｚ）、前記受光径φで決まる分解能をＲa、シート搬送速度Ｖおよびパルス周波数ｆで決まる分解能をＲbとして、
【００３９】
【数５】
2006337078.tif 000007
【００４０】
に基づいて受光径φおよびパルス周波数ｆを設定するものに関する。
【００４１】
前記シート長計測装置においては、受光径φを小さく設定し、パルス周波数ｆを大きく設定するほど、高い分解能が得られる。そして、パルス光を発生させる投光部としてはパルス発光型の半導体レーザ素子が使用でき、また、受光部として使用される受光素子においては、受光半径が５〜５０μｍのものも珍しくはない。したがって、前記シート長計測装置は、安価で入手の容易なコンポーネントで構成できるにも係らず、所望の計測制度に容易に設定できる。
【００４２】
請求項１３は、シートを所定の搬送経路に沿って搬送する搬送手段と、前記搬送手段で搬送されるシートについてシート長を計測する請求項１〜１２の何れか１項に記載のシート長計測装置と、前記シート長計測装置における計測知に基づいて前記シートを良品と不良品とに振り分けるシート振分手段とを備えてなることを特徴とするシート振分ラインに関する。
【００４３】
前記シート振分ラインにおいては、前記搬送手段で搬送されたシートは、前記シート長計測装置における計測知に基づいて前記シート振分手段によって良品と不良品とに振り分けられる。
【００４４】
したがって、シート長の計測とシート長に基づくシートの振分とはオンラインで行なわれ、前記シート長計測装置においてシート長が過大または過小と評価されたシートが出荷されることはない。
【００４５】
請求項１４に記載の発明は、帯状のウェブを巻き戻しつつ所定の寸法に切断してシートとする切断手段と、前記切断手段で切断されたシートを所定の搬送経路に沿って搬送する搬送手段と、前記搬送手段で搬送されるシートについてシート長を計測する請求項１〜１２の何れか１項に記載のシート長計測装置とを備えてなり、前記シート長計測装置におけるシート長計測結果に基づいて前記切断手段における切断長さをフィードバック制御することを特徴とするシート切断ラインに関する。
【００４６】
前記シート切断ラインにおいては、本発明のシート長計測手段におけるシート長の計測結果に基づいて前記切断手段における切断長さがフィードバック制御されるから、前記ウェブの切断長さが長すぎたり短すぎたりして不良品として排除されるシートを大幅に減らすことができる。
【００４７】
請求項１５に記載の発明は、所定の搬送経路に沿って搬送されるシートについて、前記シートの前縁から後縁までの長さであるシート長を測定するシート長計測方法であって、前記シートの表面に所定の広がり角を有する検査光を照射し、前記シートの搬送速度と、前記シートが検査光を遮光する遮光時間とに基づいて前記シート長を求めることを特徴とするシート長計測方法に関する。
【００４８】
前記シート長計測方法によれば、高精度でのシート計測が可能である。
【発明の効果】
【００４９】
以上説明したように本発明によれば、高速で搬送されるシートにおいても高精度でシート長を計測できるシート長計測装置、シート振分ライン、シート切断ライン、およびシート長計測方法が提供される。
【発明を実施するための最良の形態】
【００５０】
１．実施形態１
先ず、本発明のシート長計測装置が組みこまれた平版印刷版の加工ライン１０について説明する。
【００５１】
図１に示すように、加工ライン１０の上流側即ち図１の右上側にはウエブ送出機１４が配設され、ウエブ送出機１４には、長尺帯状の平版印刷版ウエブ１２がロール状に巻き取られた状態で装填されている。ウエブ送出機１４は、平版印刷版ウエブ１２を連続的に下流側のレベラ１６へ送り出す。平版印刷版ウエブ１２はレベラ１６によりカールが矯正された後、圧着ローラ１８に至る。圧着ローラ１８は平版印刷版ウエブ１２の上面即ち製版面に合紙送出機２１から送られてきた長尺帯状の合紙２０を圧着する。合紙２０は帯電装置（図示せず。）によって帯電されて平版印刷版ウエブ１２に静電接着される。
【００５２】
圧着ローラ１８の下流側にはノッチャー２２が配置されている。ノッチャー２２は、下流側に設置されたスリッタ装置２４により平版印刷版ウエブ１２の裁断を開始する場合、平版印刷版ウエブ１２の裁断幅を変更する場合、及び平版印刷版ウエブ１２の裁断を終了させる場合に、それぞれ平版印刷版ウエブ１２における幅方向に沿った両側端部の所定箇所を打抜き、切欠部を形成する。スリッタ装置２４においては、上刃及び下刃からなる剪断刃が、ノッチャー２２で形成された切欠部によって案内されてウエブ１２の幅方向に沿って所定の裁断箇所まで移動し、平版印刷版ウエブ１２の裁断幅を変更する。
【００５３】
なお、スリッタ装置２４の下流側に隣接してスリッタ装置２４によりウエブ１２から切り落とされた細帯状の耳屑の先端付近を把持して、このウエブ切捨部をチョッパ装置へ導くガイド機構（図示せず。）が設けられている。チョッパ装置はウエブ切捨部を細かく破断して再生可能なアルミ屑とする。このアルミ屑はコンベア機構２３により搬送され、回収容器２５内へ排出される。
【００５４】
加工ライン１０においては、スリッタ装置２４及びその周辺部材（図示せず。）とにより構成された裁断ユニット３０が２組設けられている。これにより、剪断刃の交換及び位置調整等の段取作業を、ライン外の使用していない裁断ユニット３０で行うことができ、加工ライン１０のライン停止時間の抑制が図られている。
【００５５】
スリッタ装置２４により所定のスリット幅に裁断された平版印刷版ウエブ１２は、ウエブ測長装置３２により送り長がカウントされ、予め設定されたカット長に対応するカウント値がウエブ測長装置３２によりカウントされると、それに同期してカッタ装置３４により幅方向に沿って直線的に切断される。これにより、予め設定されたスリット幅Ｓ及びカット長Ｌを有する矩形状の平版印刷版３６が製造される。ここでカット長Ｌはシート長Ｌとも言いかえることができる。
【００５６】
平版印刷版３６は、複数台（図１では６台）の搬送コンベア６０〜７０により集積部４２に送られ、この集積部４２にて所定枚数積み重ねられて、集積束４４が構成される。なお、保護シート供給ライン４６から搬送コンベア６８へ所定のタイミングで段ボール等、厚紙等の保護シート４８を供給することにより、集積部４２に積載される集積束４４の上下若しくは片側に、厚紙等からなる保護シート４８を配置することが可能となる。
【００５７】
搬送コンベア６２と搬送コンベア６４との間には振分ゲート（図示せず。）が設置されており、前記振分ゲートは、シート長計測装置１００により測長された平版印刷版３６のカット長が品質基準に規定された許容寸法から外れている場合には、この平版印刷版３６を搬送コンベア６２からラインアウト用の搬送コンベア７２へ振り分ける。これにより、搬送コンベア７２は、カット長が品質基準から外れている平版印刷版３６を斜め下方へ搬送し、その下流端部から回収容器７６内へ投入する。振分ゲートは、平版印刷版３６を搬送コンベア６４へ案内する第１ガイド位置及び搬送コンベア７２へ案内する第２ガイド位置の何れかの位置へ揺動する。
【００５８】
一方、カット長が品質基準を満たした平版印刷版３６からなる集積束４４は、複数台のコンベア５０により所定の積替位置へ搬送され、この積替位置で積替装置５２によりコンベア５０からパレット５４上へ積替えられる。この集積束４４が積載されたパレット５４は自動搬送装置５６により包装工程に送られ、クラフト紙等の外装紙により包装された後、更に必要に応じて段ボール箱等の収納箱内へ収納されたり、又は出荷用のパレット上に積載される。
【００５９】
以下、シート長計測装置１００について説明する。
【００６０】
図２および図３に示すように、シート長計測装置１００が設けられた搬送コンベア６２は、矢印ａで示す搬送方向に沿って２本平行に配設されたベルトコンべア６２Ａおよび６２Ｂから構成されている。
【００６１】
シート長計測装置１００は、搬送方向ａに沿って搬送コンベア６２の下流側端部に設けられた投受光部１０２と、搬送方向ａに沿って投受光部１０２の上流側に隣接する近接センサ１０４とを備える。投受光部１０２と近接センサ１０４とは、何れもベルトコンベア６２Ａとベルトコンベア６２Ｂとの間に設けられている。
【００６２】
投受光部１０２は、平版印刷版３６の搬送経路の下側に位置し、パルス光を照射する投光ヘッド１０１と、前記搬送経路の上側に位置し、投光ヘッド１０１からのパルス光を受光する受光ヘッド１０３から構成されている。投光ヘッド１０１および受光ヘッド１０３は、夫々本発明における投光部および受光部に相当する。投光ヘッド１０１は、光ファイバ１０１Ｂとその光軸上に設けられたコリメータ部１０１Ａとによって構成され、受光ヘッド１０３は、投光ヘッド１０１から投光されたパルス光が入光するコリメータ部１０３Ａと、コリメータ部１０３Ａに入光したパルス光を後述する受光増幅器１２１に導く光ファイバ１０３Ｂとから構成されている。
【００６３】
パルス光を発生するレーザ光源１０８には光ファイバ１０５が接続されている。光ファイバ１０５の途中にはファイバカップラ１１０が介装され、ファイバカップラ１１０から投光ヘッド１０１を構成する光ファイバ１０１Ｂが分岐している。
【００６４】
レーザ光源１０８にはパルス発生器１０６が接続されている。
【００６５】
パルス発生器１０６は高周波パルストリガを発生させ、レーザ光源１０８は、パルス発生器１０６で発生した高周波パルストリガを受けて高出力のパルス光を発生させる。レーザ光源１０８で発生したパルス光は、光ファイバ１０５に導入され、一部がファイバカップラ１１０を経由して光ファイバ１０１Ｂに導入され、コリメータ部１０１Ａから所定の広がり角で照射される。そして前記パルス光の残りは、ファイバカップラ１１０および光ファイバ１０５を経由して受光増幅器１２０に導入され、受光増幅器１２０でパルス信号に変換されてコンピュータ１５０に入力される。なお、レーザ光源１０８からのパルス光を受光増幅器１２０に導入してパルス信号に変換してコンピュータ１０５に導入する代りに、図４に示すようにパルス発生器１０６で発生した高周波パルストリガをコンピュータ１０５に直接入力してもよい。
【００６６】
受光ヘッド１０３が接続されている受光増幅器１２１は、受光ヘッド１０３からパルス光が導入されたら、このパルス光を電気パルス信号に変換してコンピュータ１５０に導入する。
【００６７】
受光増幅器１２０および１２１は、受光素子と波形成形器と演算増幅器とから構成されている。
【００６８】
コンピュータ１５０は、本発明におけるシート長演算手段に相当し、受光増幅器１２０および１２１のほかに、近接センサ１０４からの信号を入力する卓上型コンピュータ１４０が接続されている。近接センサ１０４は、パルスカウンタ基板１３０を介して卓上型コンピュータ１４０に接続されている。
【００６９】
以下、シート長計測装置１００の作用について説明する。
【００７０】
平版印刷版３６が搬送コンベア６２を搬送されて近接センサ１０４が平版印刷版３６を検出すると、近接センサ１０４は、平版印刷版３６を検出した旨の信号を、パルスカウンタ基板１３０を介して卓上型コンピュータ１４０に入力する。卓上型コンピュータ１４０に前記信号が入力されると、卓上型コンピュータ１４０からコンピュータ１５０にパルスの個数を数えるべき旨の指令を行なう。
【００７１】
コンピュータ１５０に前記指令が入力されると、コンピュータ１５０は、受光増幅器１２０および受光増幅器１２１においてパルスのカウントを開始する。受光増幅器１２０には、レーザ光源１０８から直接にパルス光が入光するから、図５においてＡに示すように、パルスカウントを行なっている時間であるｔ＝０〜Δｔの間中、パルス光を検出する。なお、ｔ＝０はパルスカウントを開始した時刻であり、ｔ＝Δｔはパルスカウントを終了した時刻である。
【００７２】
一方、受光ヘッド１０３で受光したパルス光を検出する受光増幅器１２１においては、図５においてＢに実線で示すように、投光ヘッド１０１から受光ヘッド１０３に投光されたパルス光が平版印刷版３６によって遮光されるまでは受光増幅器１２０で検出したのと同一の周期および位相を有するパルス光が検出される。しかし、平版印刷版３６が搬送方向ａに沿って搬送されて投光ヘッド１０１と受光ヘッド１０３との間を通過する間は、投光ヘッド１０１から投光されたパルス光が遮光されるから、図５のＢにおいて破線で示すように、パルス光は検出されなくなる。そして、平版印刷版３６が投光ヘッド１０１と受光ヘッド１０３との間を通過し終わると、投光ヘッド１０１から投光されたパルス光は再び受光ヘッド１０３に入光するから、図５のＢにおいて実線で示すように、パルス光は再び受光増幅器１２１においても検出されるようになる。
【００７３】
したがって、受光増幅器１２０におけるカウント値をＰ１、受光増幅器１２１におけるカウント値をＰ２とすると、Ｐ１は、時刻ｔ＝０からｔ＝Δｔまでの間にレーザ光源１０８が発生した総パルス数であり、Ｐ２は、平版印刷版３６で遮光されなかったパルス光の総パルス数である。そして、平版印刷版３６の搬送速度をＶ（ｍ／ｓ）、レーザ光源１０８で発生したパルス光の発振周期をＴPG（ｓ）とすると、１パルス当りの平版印刷版３６の変位量Ｘ（ｔ）（ｍ）は、
Ｘ（ｔ）＝Ｖ×ＴPG
になる。
【００７４】
平版印刷版３６の搬送方向の長さであるシート長Ｌ（ｍ）は、変位量Ｘ（ｔ）を遮光されたパルスの総数分足し合わせればよいから、
【００７５】
【数６】
2006337078.tif 000008
【００７６】
のようになる。
【００７７】
シート計測装置１００においては、平版印刷版３６が遮光したパルス数に基づいて平版印刷版３６のシート長Ｌを求めているから、分解能Ｒ（ｍ）は、レーザ光源１０８で発生したパルス光の周波数ｆ＝１／ＴPGと受光ヘッド１０３における受光径φ（ｍ）によって決まってくる。言いかえれば、前記受光径φで決まる分解能をＲa、シート搬送速度Ｖおよびパルス周波数ｆで決まる分解能をＲbとすると、以下の式
【００７８】
【数７】
2006337078.tif 000009
【００７９】
で示すように、分解能ＲaとＲbとの何れか大きい方の値になる。
【００８０】
したがって、前記パルス光の周波数を高くしたり、投光ヘッド１０１および受光ヘッド１０３において、パルス光の広がり角を小さく設定して受光径φを小さくしたりするなどの手段により、シート長計測装置１００においては１０〜数１０μｍという高い分解能を達成することができる。
【００８１】
また、レーザ光源１０８、パルス発生装置１０６、受光増幅器１２０，１２１、パルスカウンタ基板１３０などの構成部品には、何ら特殊なものを使用する必要はないから、シート長計測装置１００は極めて安価に構成できる。
【００８２】
２．実施形態２
加工ライン１０で使用されるシート長計測装置の別の例について以下に説明する。
【００８３】
図６に示すように、実施形態２に係るシート長計測装置２００は、搬送方向ａに対して投受光部１０２の上流側に第２の投受光部である投受光部２０２が設けられている。なお、投受光部１０２の上流側に隣接して近接センサ１０４が設けられているのは、実施形態１のシート長計測装置と同様である。投受光部１０２と投受光部２０２との距離Ｄは、平版印刷版３６のシート長Ｌよりも短くても長くてもよいが、シート長Ｌとの差は小さいことが好ましい。図７に示すように、投受光部２０２は、平版印刷版３６の搬送経路の下側に位置する投光ヘッド２０１と前記搬送経路の上側に位置する受光ヘッド２０３とから構成されている。
【００８４】
図７に示すように、投光ヘッド２０１は、光ファイバ２０１Ｂと光ファイバ２０１Ｂの光軸上に設けられ、光ファイバ２０１Ｂから導入されたパルス光を所定の広がり角で出射するコリメータ部２０１Ａとからなっている。
【００８５】
レーザ光源１０８には光ファイバ１０５が接続され、光ファイバ１０５の途中にはファイバカップラ１１０およびファイバカップラ１１１が設けられている。光ファイバ１０５は、ファイバカップラ１１０において光ファイバ１０５Ａと光ファイバ１０５Ｂとに分岐する。光ファイバ１０５Ａの途中にはファイバカップラ１１１が設けられ、ファイバカップラ１１１において、投光ヘッド１０１を構成する光ファイバ１０１Ｂと投光ヘッド２０１を構成する光ファイバ２０１Ｂとに分岐する。一方、光ファイバ１０５Ｂは、受光増幅器１２０に接続されている。
【００８６】
レーザ光源１０８から射出されたパルス光は、ファイバカップラ１１０で分岐して一部が光ファイバ１０５Ａに導入され、残りが光ファイバ１０５Ｂを通って受光増幅器１２０に入光する。そして、光ファイバ１０５Ａに導入されたパルス光は、光ファイバ１０１Ｂを通って投光ヘッド１０１のコリメータ部１０１Ａから出射され、残りが光ファイバ２０１Ｂを通って投光ヘッド２０１のコリメータ部２０１Ａから出射される。
【００８７】
受光ヘッド２０３は、投光ヘッド２０１からパルス光が入光するコリメータ部２０３Ａと、コリメータ部２０３Ａに入光したパルス光を受光増幅器２２０に導く光ファイバ２０３Ｂとから構成されている。受光増幅器２２０は、受光増幅器１２０および１２１と同様の構成を有し、同様にコンピュータ１５０に接続されている。
【００８８】
これらの点を除いて、シート長計測装置２００は実施形態１のシート長計測装置１００と同一の構成を有している。
【００８９】
以下、シート長計測装置２００の作用について説明する。
【００９０】
シート長計測装置３００においても、近接センサ１０４が平版印刷版３６を検出すると、近接センサ１０４は、平版印刷版３６を検出した旨の信号を、パルスカウンタ基板１３０を介して卓上型コンピュータ１４０に入力する。卓上型コンピュータ１４０に前記信号が入力されると、卓上型コンピュータ１４０からコンピュータ１５０にパルスの個数を数えるべき旨の指令を行なう。
【００９１】
コンピュータ１５０に前記指令が入力されると、コンピュータ１５０は、受光増幅器１２０および受光増幅器１２１においてパルスのカウントを開始する。受光増幅器１２０には、レーザ光源１０８から直接にパルス光が入光するから、図８においてＡに示すように、パルスカウントを行なっている時間であるｔ＝０〜Δｔの間中、パルス光を検出する。なお、ｔ＝０はパルスカウントを開始した時刻であり、ｔ＝Δｔはパルスカウントを終了した時刻である。
【００９２】
したがって、図８および図９においてＡに示すように、受光増幅器１２０においては、時間ｔ＝０〜Δｔの間中、パルス光を検出する。
【００９３】
一方、受光増幅器１２１においては、図８および図９においてＢに示すように、投光ヘッド１０１から受光ヘッド１０３に投光されたパルス光が平版印刷版３６によって遮光されるまでは受光増幅器１２０で検出したのと同一の周期および位相を有するパルス光が検出されるが、時刻ｔ＝ｔ２において平版印刷版３６が搬送されて前記パルス光が遮光されるとパルス光は検出されなくなる。なお、図８および図９において実線はパルス光を検出したことを、破線はパルス光を検出しなかったことを示す。
【００９４】
また、投受光部２０２においては、最初は、平版印刷版３６が投受光部２０２を通過するから、投光ヘッド２０１からのパルス光が平版印刷版３６によって遮光されて受光ヘッド２０３には届かない。したがって図８および図９においてＣに示すように、受光増幅器２２０においてはパルス光は検出されない。平版印刷版３６が搬送されて時刻ｔ＝ｔ３において投受光部２０２を通過し終わると、投光ヘッド２０１からのパルス光が受光ヘッド２０３に届くようになる。
【００９５】
ここで、投受光部１０２と投受光部２０２との距離Ｄが平版印刷版３６のシート長Ｌよりも小さい場合は、図８に示すように、投受光部１０２においては、時刻ｔ＝ｔ２においてパルス光が遮光され、投受光部２０２においては、時刻ｔ＝ｔ２よりも後の時刻ｔ＝ｔ３において遮光が終了する。
【００９６】
したがって、時刻ｔ＝ｔ２〜ｔ３においては、投受光部１０２および２０２の何れにおいてもパルス光は遮光され、その間に平版印刷版３６は、ΔＬ＝Ｌ−Ｄだけ進行するから、時刻ｔ＝０〜Δｔの間に受光増幅器１２０で受光したパルス光の個数をＰ１、受光増幅器１２１で受光したパルス光の個数をＰ２、受光増幅器２２０で受光したパルス光の個数をＰ３とすると、平版印刷版３６は、ΔＬ＝Ｌ−Ｄだけ進行する間のパルス数ΔＰ２３は、ΔＰ２３＝Ｐ１−Ｐ２−Ｐ３で与えられる。
【００９７】
したがって、平版印刷版３６の搬送速度をＶ（ｍ）、パルス周期をＴPG（ｓ）とすると、ΔＬ（ｍ）は、以下の式：
ΔＬ＝ＶＴPG（Ｐ１−Ｐ２−Ｐ３）
で与えられる。
【００９８】
したがって、シート長Ｌは、以下の式：
Ｌ＝ＶＴPG（Ｐ１−Ｐ２−Ｐ３）＋Ｄ
で与えられる。
【００９９】
一方前記距離Ｄがシート長Ｌよりも大きな場合は、図９に示すように、投受光部１０２でパルス光が遮光される時刻ｔ＝ｔ２は、投受光部２０２において遮光が終了する時刻ｔ＝ｔ３よりも後である。
【０１００】
したがって、時刻ｔ＝ｔ３〜ｔ２においては、投受光部１０２および２０２の何れにおいてもパルス光が遮光されてはなく、その間に平版印刷版３６は、ΔＬ＝Ｄ−Ｌだけ進行するから、時刻ｔ＝０〜Δｔの間に受光増幅器１２０で受光したパルス光の個数をＰ１、受光増幅器１２１で受光したパルス光の個数をＰ２、受光増幅器２２０で受光したパルス光の個数をＰ３とすると、平版印刷版３６は、ΔＬ＝Ｄ−Ｌだけ進行する間のパルス数ΔＰ２３は、ΔＰ２３＝Ｐ２＋Ｐ３―Ｐ１で与えられる。
【０１０１】
したがって、平版印刷版３６の搬送速度をＶ（ｍ）、パルス周期をＴPG（ｓ）とすると、ΔＬ（ｍ）は、以下の式：
ΔＬ＝ＶＴPG（Ｐ２＋Ｐ３−Ｐ１）
で与えられるから、シート長Ｌは、
Ｌ＝Ｄ−ΔＬ＝Ｄ−ＶＴPG（Ｐ２＋Ｐ３−Ｐ１）
で与えられる。
【０１０２】
シート長計測装置２００においては、投受光部１０２でパルス光が一旦遮光され、前記遮光が開放されるまでシート長計測を継続する必要がないので、より短いパルス取り込み時間でシート長を計測できる。したがって、シート長計測装置２００は、実施形態１に係るシート長計測装置の特長に加え、より短時間でシート長計測が可能な上、平版印刷版３６の搬送速度Ｖが変動する場合においても搬送速度Ｖの変動の影響を受けにくいという特長を有する。
【０１０３】
３．実施形態３
加工ライン１０で使用されるシート長計測装置の更に別の例について以下に説明する。
【０１０４】
実施形態３に係るシート長計測装置３００が設けられる搬送コンベア６２は、中央に位置するベルトコンベア６２Ｂとその両側に配設されたベルトコンベア６２Ａおよび６２Ｃからなる、
シート長計測装置３００においては、図１０および図１１に示すように、投受光部１０２と、搬送方向ａに対して投受光部１０２の上流側に位置する投受光部２０２とはベルトコンベア６２Ｂとベルトコンベア６２Ｃとの間に配設されている。そして、平版印刷版３６の搬送方向ａに対する傾きθを計測する投受光部３０２は、投受光部１０２に対して搬送方向ａとは直角の方向であってベルトコンベア６２Ａとベルトコンベア６２Ｂとの間に配設されている。投受光部２０２と投受光部１０２との距離はＤ１であり、投受光部３０２と投受光部１０２との距離はＤ２である。近接センサ１０４は、搬送方向ａに対して投受光部１０２および３０２よりも上流側であって投受光部２０２よりも下流側であってベルトコンベア６２Ｂの上方に設けられている。
【０１０５】
投受光部３０２は、平版印刷版３６の搬送経路の下側に設けられた投光ヘッド３０１と前記搬送経路の上側に設けられ、投光ヘッド３０１からのパルス光が入光する受光ヘッド３０３とからなる。図１１に示すように、投光ヘッド３０１は、光ファイバ３０１Ｂと、光ファイバ３０１Ｂの先端において光ファイバ３０１Ｂの光軸上に設けられ、光ファイバ３０１Ｂからの光を所定の広がり角で投光するたコリメータ部３０１Ａとから構成れている。同様に、受光ヘッド３０３は、投光ヘッド３０１から投光されたパルス光が入光するコリメータ部３０３Ａと、コリメータ部３０３Ａに接続された光ファイバ３０３Ｂとからなっている。
【０１０６】
図１１に示すように、投光ヘッド３０１もまた、投光ヘッド１０１および投光ヘッド２０１と同様に光ファイバ１０５によってレーザ光源１０８からパルス光が導かれる。
【０１０７】
光ファイバ１０５の途中にはファイバカップラ１１０、１１１、および１１２が設けられている。
【０１０８】
光ファイバ１０５は、ファイバカップラ１１０において光ファイバ１０５Ａと光ファイバ１０５Ｂとに分岐する。そして、ファイバカップラ１１１において光ファイバ１０５Ａから投光ヘッド１０１の一部を構成する光ファイバ１０１Ｂが分岐し、ファイバカップラ１１２において投光ヘッド２０１の一部を構成する光ファイバ２０１Ｂと投光ヘッド３０１の一部を構成する光ファイバ３０１Ｂとに分岐する。
【０１０９】
レーザ光源１０８から射出されたパルス光は、ファイバカップラ１１０で分岐して一部が光ファイバ１０５Ａに導入され、残りが光ファイバ１０５Ｂを通って受光増幅器１２０に入光する。そして、光ファイバ１０５Ａに導入されたパルス光は、その一部がファイバカップラ１１１を通って投光ヘッド１０１に導入され、残りはファイバカップラ１１２を通って投光ヘッド２０１および投光ヘッド３０１に導入される。
【０１１０】
受光ヘッド３０３においては、コリメータ３０３Ａに入光したパルス光は、光ファイバ３０３Ｂを通って受光増幅器３２０で受光される。受光増幅器３２０は、受光増幅器１２０、１２１、および２２０と同様の構成を有し、これらの受光増幅器と同様にコンピュータ１５０に接続されている。
【０１１１】
シート長計測装置３００は、更に搬送コンベア６２における搬送速度Ｖを計測するエンコーダ３１０を備えている。エンコーダ３１０の信号は、卓上型コンピュータ１４０を通してコンピュータ１５０に入力される。
【０１１２】
これらの点を除いて、シート長計測装置３００は実施形態２のシート長計測装置２００と同一の構成を有している。
【０１１３】
以下、シート長計測装置３００の作用について説明する。
【０１１４】
シート長計測装置３００においても、近接センサ１０４が平版印刷版３６を検出すると、近接センサ１０４は、平版印刷版３６を検出した旨の信号を、パルスカウンタ基板１３０を介して卓上型コンピュータ１４０に入力する。卓上型コンピュータ１４０に前記信号が入力されると、卓上型コンピュータ１４０からコンピュータ１５０にパルスの個数を数えるべき旨の指令を行なう。
【０１１５】
コンピュータ１５０に前記指令が入力されると、コンピュータ１５０は、受光増幅器１２０および受光増幅器１２１においてパルスのカウントを開始する。受光増幅器１２０には、レーザ光源１０８から直接にパルス光が入光するから、図１２においてＡに示すように、パルスカウントを行なっている時間であるｔ＝０〜Δｔの間中、パルス光を検出する。なお、ｔ＝０はパルスカウントを開始した時刻であり、ｔ＝Δｔはパルスカウントを終了した時刻である。
【０１１６】
したがって、図１２および図１３においてＡに示すように、受光増幅器１２０においては、時間ｔ＝０〜Δｔの間中、パルス光を検出する。
【０１１７】
一方、受光増幅器１２１においては、投光ヘッド１０１から受光ヘッド１０３に投光されたパルス光が平版印刷版３６によって遮光されるまでは、図８および図９においてＢに示すように受光増幅器１２０で検出したのと同一の周期および位相を有するパルス光が検出されるが、ｔ＝ｔ２において平版印刷版３６によって前記パルス光が遮光されると、同図のＢに示すようにパルスは検出されなくなる。なお、図８および図９において実線はパルス光を検出したことを、破線はパルス光を検出しなかったことを示す。
【０１１８】
また、投受光部２０２においては、最初は、平版印刷版３６が投受光部２０２を通過するから、投光ヘッド２０１からのパルス光が平版印刷版３６によって遮光されて受光ヘッド２０３には届かない。したがって図１２および図１３においてＣに示すように、受光増幅器２２０においてはパルス光は検出されない。そして、時刻ｔ＝ｔ３において平版印刷版３６が投受光部２０２を通過し終わると、投光ヘッド２０１からのパルス光が受光ヘッド２０３に届くようになる。
【０１１９】
したがって、シート長計測装置３００においては、搬送方向ａに沿ったシート長Ｌ’は、実施形態２のところで述べたように、以下の式：
Ｌ’＝ＶＴPG（Ｐ１−Ｐ２−Ｐ３）＋Ｄ（Ｄ＜Ｌ）、または
Ｌ’＝Ｄ−ＶＴPG（Ｐ２＋Ｐ３−Ｐ１）（Ｄ＞Ｌ）
で求められる。
【０１２０】
ここで、図１０に示すように、シート長計測装置３００においては、平版印刷版３６は、搬送方向ａに対して角度θだけ傾いた状態で搬送されているから、投受光部３０２においては、投受光部２０２が遮光された時刻ｔ＝ｔ２よりも遅い時刻ｔ＝ｔ４において遮光される。
【０１２１】
時刻ｔ＝０から投受光部３０２においてパルス光が遮光される時刻までに受光増幅器３２０が検知したパルスの数をＰ４とすると、ΔＰ２４＝Ｐ２−Ｐ４に対応する平版印刷版３６の送り長さＷは、以下の式：
Ｗ＝（Ｐ４−Ｐ２）ＶＴPG
で表される。ここで、傾きθは通常は小さいと考えられるから、θとＤ２とＷとは、以下の式：
θ＝ｔａｎ-1（Ｗ／Ｄ２）≒ｃｏｓ−１（Ｗ／Ｄ２）
で表される。
【０１２２】
したがって、
ｃｏｓθ＝Ｗ／Ｄ２＝（Ｐ４−Ｐ２）ＶＴPG／Ｄ２
である。
【０１２３】
ここで、真のシート長Ｌは
Ｌ＝Ｌ’ｃｏｓθ
であるから、上の式を代入して
Ｌ＝［ＶＴPG（Ｐ１−Ｐ２−Ｐ３）＋Ｄ］×（Ｐ４−Ｐ２）ＶＴPG／Ｄ２（Ｄ＜Ｌ）
Ｌ＝［Ｄ−ＶＴPG（Ｐ２＋Ｐ３−Ｐ１）］×（Ｐ４−Ｐ２）ＶＴPG／Ｄ２（Ｄ＞Ｌ）
で求められる。
【０１２４】
シート長計測装置３００においては平版印刷版３６の搬送速度をエンコーダ３１０で計測しているから、以下の式
【０１２５】
【数８】
2006337078.tif 000010
【０１２６】
で搬送速度Ｖ（ｔ）の時刻ｔ＝０〜Δｔにおける平均値を求め、これを搬送速度Ｖとしてシート長Ｌ等を求めてもよい。
【０１２７】
また、図１４に示すように、パルス発生器１０６におけるパルス発振タイミングでエンコーダ３１０の値を連続的に読み取り、ｋ番目のパルスが発生したときのエンコーダ３１０の読取値を前記ｋ番目のパルスに対応する平版印刷版３６の搬送速度Ｖ（ｔk）としてもよい。
【０１２８】
このとき、搬送方向ａに沿ったシート長Ｌ’は、以下の式：
【０１２９】
【数９】
2006337078.tif 000011
または、
【０１３０】
【数１０】
2006337078.tif 000012
【０１３１】
で求められる。
【０１３２】
そして、平版印刷版３６の送り長さＷは、
【０１３３】
【数１１】
2006337078.tif 000013
【０１３４】
（Ｘ（ｔ）は、パルス１個当りの平版印刷版３６の搬送距離を示す。）
で求められる。
【０１３５】
したがって、ｃｏｓθは、以下の式
【０１３６】
【数１２】
2006337078.tif 000014
【０１３７】
で求められる。
【０１３８】
故に、真のシート長Ｌは、以下の式
【０１３９】
【数１３】
2006337078.tif 000015
【０１４０】
【数１４】
2006337078.tif 000016
【０１４１】
で求められる。
【０１４２】
実施形態３に係るシート計測装置３００は、平版印刷版３６が傾いた状態で搬送された場合においても、平版印刷版３６のシート長Lを正確に求めることができる。また、搬送速度の変動による誤差を最小限に留めることができる。
【０１４３】
以上、実施形態１〜３において、レーザ光源１０８においてパルス光を発生させてシート計測を行なうシート長計測装置について説明してきたが、シート長計測装置１００〜３００において、レーザ光源１０８から連続光を発生させ、受光増幅器１２０、１２１、２２０、３２０においてｏｎ／ｏｆｆセンサで前記連続光を受光するようにしても高分解能でのシート長計測は可能である。
【図面の簡単な説明】
【０１４４】
【図１】図１は、実施形態１〜３に係るシート長計測装置が使用される平版印刷版ウェブの加工装置の全体的な構成を示す斜視図である。
【図２】図２は、実施形態１のシート長計測装置の構成の概略を示す平面図である。
【図３】図３は、実施形態１のシート長計測装置の構成の概略を示す斜視図である。
【図４】図４は、実施形態１のシート長計測装置の別の例について構成の概略を示す斜視図である。
【図５】図５は、実施形態１のシート長計測装置において検出されるパルスを示す説明図である。
【図６】図６は、実施形態２のシート長計測装置の構成の概略を示す平面図である。
【図７】図７は、実施形態２のシート長計測装置の構成の概略を示す斜視図である。
【図８】図８は、実施形態２のシート長計測装置において、上流側と下流側との投受光部の距離Ｄがシート長Ｌよりも短い場合に検出されるパルスを示す説明図である。
【図９】図９は、実施形態２のシート長計測装置において、上流側と下流側との投受光部の距離Ｄがシート長Ｌよりも長い場合に検出されるパルスを示す説明図である。
【図１０】図１０は、実施形態３のシート長計測装置の構成の概略を示す平面図である。
【図１１】図１１は、実施形態３のシート長計測装置の構成の概略を示す斜視図である。
【図１２】図１２は、実施形態３のシート長計測装置において、上流側と下流側との投受光部の距離Ｄがシート長Ｌよりも短い場合に検出されるパルスを示す説明図である。
【図１３】図１３は、実施形態３のシート長計測装置において、上流側と下流側との投受光部の距離Ｄがシート長Ｌよりも長い場合に検出されるパルスを示す説明図である。
【図１４】図１４は、実施形態３のシート長計測装置において、上流側と下流側との投受光部の距離Ｄがシート長Ｌよりも短い場合に検出されるパルスとエンコーダで測定した平版印刷版の搬送速度との関係を示す説明図である。
【符号の説明】
【０１４５】
１００    シート長計測装置
１０２    投受光部
１０４    近接センサ
１０６    パルス発生器
１０８    レーザ光源
１２０    受光増幅器
１２１    受光増幅器
１３０    パルスカウンタ基板
１４０    卓上型コンピュータ
１５０    コンピュータ
２００    シート長計測装置
２０２    投受光部
２２０    受光増幅器
３００    シート長計測装置
３０２    投受光部
３２０    受光増幅器
【図１】
2006337078.tif 000022
【図２】
2006337078.tif 000023
【図３】
2006337078.tif 000024
【図４】
2006337078.tif 000025
【図５】
2006337078.tif 000026
【図６】
2006337078.tif 000027
【図７】
2006337078.tif 000028
【図８】
2006337078.tif 000029
【図９】
2006337078.tif 000030
【図１０】
2006337078.tif 000031
【図１１】
2006337078.tif 000032
【図１２】
2006337078.tif 000033
【図１３】
2006337078.tif 000034
【図１４】
2006337078.tif 000035